(57)【特許請求の範囲】
【請求項１】
処理すべき紙幣を受け入れるホッパと、該ホッパに受け入れた紙幣を１枚ずつ搬送路内に繰り出して搬送する繰出搬送部と、該繰出搬送部の下流側に設けられ、搬送される紙幣の金種識別及び計数を行う識別計数部と、該識別計数部の下流側に設けられ、前記識別計数部によって正常と判定識別された紙幣を集積させるスタッカとを備える紙幣識別計数機において、
複数の通貨体系の紙幣についての特徴情報が通貨体系ごとに記憶された紙幣特徴情報記憶手段と、
紙幣の識別計数を開始させるための複数の特定キーと、
処理しようとする紙幣の通貨体系が選択されると、それを複数ある前記特定キーのいずれかに割り当てる通貨体系選択設定手段と、
前記いずれかの特定キーの押下に呼応して、紙幣の繰出及び搬送を行い、前記特定キーに割り当てられた前記通貨体系に対応する紙幣の特徴情報との比較を行い、紙幣の識別計数を行う制御手段とを具備するとともに、
前記識別計数の結果を記憶するための記憶領域を通貨体系ごとに設けたことを特徴とする紙幣識別計数機。
【請求項２】
計数モード設定手段をさらに備えたことを特徴とする請求項１に記載の紙幣識別計数機。
【請求項３】
前記特定キーの押下に伴って、前記特定キーに割り当てられた通貨体系の通貨単位を表示する表示部をさらに備えたことを特徴とする請求項１又は２に記載の紙幣識別計数機。
【請求項４】
前記特定キーはＳＴＡＲＴ／ＳＴＯＰキーであり、かつ、その個数は２であり、その一方に通貨体系のユーロが割り当てられていることを特徴とする請求項１乃至３のいずれかに記載の紙幣識別計数機。
【請求項５】
占有されている前記ＳＴＡＲＴ／ＳＴＯＰキーが、いずれの側であるかを表示する占有状態表示手段をさらに備えたことを特徴とする請求項４に記載の紙幣識別計数機。
【請求項６】
前記占有状態表示手段が、ＬＥＤランプである請求項５に記載の紙幣識別計数機。
【発明の詳細な説明】
【技術分野】
【０００１】
本発明は紙幣をホッパに受け入れて、受け入れた紙幣の金種を識別すると共に計数して、受け入れた紙幣の合計金額或いは金種毎の枚数を計算する紙幣識別計数機に関するもので、特に１台の機械で複数の通貨体系の紙幣が扱える機能を持たせた紙幣識別計数機に関する。
【背景技術】
【０００２】
金種の混合した紙幣を一括してホッパに受け入れて、受け入れた紙幣を１枚ずつ繰り出して搬送し、その金種及び真贋を識別すると共に計数して、受け入れた正常な紙幣の合計金額或いは金種毎の枚数を計算し表示する紙幣識別計数機は従来から知られている。
かかる従来の紙幣識別計数機においては、装置の使用開始前における各種機能の設定、取捨選択に要する労力が多大なものとなっており、設定のための操作の簡略化が従来から望まれている。特に、複数の通貨体系の紙幣を扱う場合は、その設定作業が煩雑であった。すなわち、ある国の紙幣を識別計数した後で、他の国の紙幣を識別計数する場合は、一旦電源をＯＦＦにし、再度電源をＯＮにして他の国の紙幣の識別計数を行うための設定を行う必要があった。複数の通貨体系の紙幣を処理する背景としては、例えば、アジア圏の一員の代表例としての中国では、自国通貨である元と国際通貨である米国ドルの両方を処理する必要があり、ユーロ圏の一員の代表例としての英国では、自国通貨であるポンドと統一通貨であるユーロの両方を処理する必要があることが挙げられる。
【０００３】
１台の装置で複数の通貨体系の紙幣が扱える機能を有した紙幣識別計数機として、例えば下記特許文献１に示されるものがある。
下記特許文献１に示される紙幣識別計数機は、国籍設定モードを備えており、特定のキーを押下しながら電源をＯＮにすることで特定の国の紙幣の取扱いが可能となっている。
例示すれば、”ＤＥＮＯＭＩ”キーを押下しながら電源を投入すれば米国紙幣の取扱いが可能となり、”ＣＬＲ”キーを押下しながら電源を投入することによりフランス国の紙幣が取扱い可能となる。なお、下記特許文献１には、電源を投入したままで、扱う紙幣の国籍を切り換えることも記載されているが、いずれにしても、一つの国の紙幣の処理が終わらないと次の国の紙幣設定に移行することができず、一度に複数の国の紙幣の設定を行うことができなかった。また、計数モードの設定も国籍の切り換え毎に行う必要があり、このため設定作業が煩雑であることに変りはなかった。
【特許文献１】特開２０００−１４９０８６号公報
【発明の開示】
【発明が解決しようとする課題】
【０００４】
本発明は、上述のような事情に鑑み為されたものであり、電源の再投入操作を行うことなく、複数の通貨体系の紙幣の設定を一度に行うことができる紙幣識別計数機を提供することを目的とする。
【課題を解決するための手段】
【０００５】
本発明は、１台の機械で複数の通貨体系の紙幣が扱える機能を持たせた紙幣識別計数機に関するものであり、本発明の上記目的は、処理すべき紙幣を受け入れるホッパと、該ホッパに受け入れた紙幣を１枚ずつ搬送路内に繰り出して搬送する繰出搬送部と、該繰出搬送部の下流側に設けられ、搬送される紙幣の金種識別及び計数を行う識別計数部と、該識別計数部の下流側に設けられ、前記識別計数部によって正常と判定識別された紙幣を集積させるスタッカとを備える紙幣識別計数機において、
複数の通貨体系の紙幣についての特徴情報が通貨体系ごとに記憶された紙幣特徴情報記憶手段と、紙幣の識別計数を開始させるための複数の特定キーと、処理しようとする紙幣の通貨体系が選択されると、それを複数の前記特定キーのいずれかに割り当てる通貨体系選択設定手段と、前記いずれかの特定キーの押下に呼応して、紙幣の繰出及び搬送を行い、前記特定キーに割り当てられた前記通貨体系に対応する紙幣の特徴情報との比較を行い、紙幣の識別計数を行う制御手段とを具備するとともに、前記識別計数の結果を記憶するための記憶領域を前記通貨体系ごとに設けたことによって達成される。
【０００６】
また、本発明の上記目的は、計数モード設定手段をさらに備えることにより効果的に達成される。
さらに、本発明の上記目的は、前記特定キーの押下に伴って、前記特定キーに割り当てられた通貨体系の通貨単位を表示する表示部をさらに備えることにより、或いは、前記特定キーをＳＴＡＲＴ／ＳＴＯＰキーとし、その個数を２とし、その一方に通貨体系のユーロを割り当てることにより、或いは、占有されているＳＴＡＲＴ／ＳＴＯＰキーがいずれの側であるかを表示する占有状態表示手段を備えることにより、或いは、前記占有状態表示手段をＬＥＤランプとすることにより、さらに効果的に達成される。
【発明を実施するための最良の形態】
【０００７】
本発明は、１台の機械で複数の通貨体系の紙幣が扱える機能を持たせた紙幣識別計数機に関する。すなわち、紙幣の識別計数を開始するＳＴＡＲＴ／ＳＴＯＰキーを複数設け、そのそれぞれに異なる通貨体系の紙幣を割り当てることにより、その都度通貨体系の選択設定を行わなくても、その通貨体系に対応したＳＴＡＲＴ／ＳＴＯＰキーを操作するだけで複数の通貨体系の紙幣が扱えるようにしたものである。
以下、図面を参照して詳細に説明する。
【０００８】
図１は本発明に係る紙幣識別計数機の内部構造を一例示す縦断面図である。
ホッパ部１に載置された紙幣は繰り出しローラ５によって紙幣識別計数機の搬送路に送り込まれ、複数の搬送ローラ６によって搬送される。紙幣搬送途中において検知センサ７ａ及び７ｂを通り、識別計数部８において金種判定（真贋判定も含む）及び計数が行われる。その後、検知センサ７ｃを通り、正常紙幣であれば回転している羽根車９の羽根の間に受け止められて、スタッカ部２に整列集積される。一方、前記識別計数部８で偽札と判定された場合は、ソレノイド１０が作動して分岐爪１１が下側に移動してリジェクト部３へと紙幣が送られる。なお、４は表示／操作部であり、紙幣識別計数処理を行う際の通貨体系の設定や計数モードの設定等を行うところである。また、上記の他に、前記の各処理を所定の制御プログラムに従って制御するメイン制御部（図示せず）や、識別計数結果や種々の設定内容を記憶している記憶手段（図示せず）を備えている。
【０００９】
図２は、本願発明に係る紙幣識別計数機の外観を示す斜視図である。ホッパ部１から投入された紙幣が機械の内部で識別計数されてスタッカ部２に整列集積される。また、偽札や汚損などで処理不能となった紙幣はリジェクト部３に送られるようになっている。表示／操作部４は種々の操作キーを有しており、キー操作により、電源の再投入操作を行うことなく、複数の通貨体系の紙幣の設定を一度に行うことができる。
【００１０】
図３は本発明に係る紙幣識別計数機の制御ブロック図である。表示／操作部４には、中央に種々の表示を行う液晶パネル４１が配置され、ＳＴＡＲＴ／ＳＴＯＰキー４２、ＡＣＣＥＰＴキー４３、占有表示ＬＥＤ４４が一対ずつ左右に分かれて配置されている。また、ＤＩＳＰＬＡＹ／ＳＥＴキーはＳＨＩＦＴキーと同時に押すことによりユーザ設定モードに切り換えるものであり、ＭＯＤＥキーは計数モード（例えば、ＭＩＸモード（混合金種入金）、ＤＤモード（単一金種入金）など）の設定を行うものである。例えば、ＭＯＤＥキーを１回押すたびに計数モードが切り換わるように構成してもよい。表示／操作制御部４５は、識別計数結果や設定内容を前記液晶パネル４１へ表示するのを制御したり、各キーの操作によって発生する制御信号を後述のメイン制御部へ伝達するのを制御したりする働きをするものであり、例えばワンチップマイコン等を利用することができる。なお、前記占有表示ＬＥＤ４４Ｌ、４４Ｒは、現在占有されているＳＴＡＲＴ／ＳＴＯＰキーがいずれであるかを点灯によって表すものである。
本体部は、紙幣識別計数機の各センサ及び各アクチュエータ（繰出搬送部やソレノイド等を指す。）の動作を制御したり、表示／操作部で設定した内容や識別計数結果等を記憶する記憶手段への書込／読出の制御を行ったりするメイン制御部を備えている。なお、前記記憶手段としては不揮発性メモリが用いられ、メイン制御部としては例えばワンチップマイコン等を利用することができる。
また、識別計数部８は、数ヶ国分の通貨体系の紙幣の特徴情報（例えば画像データ）を格納している紙幣特徴情報記憶手段、及び、センサで読み取った被検紙幣の画像データと前記紙幣特徴情報とを比較して紙幣の識別を行う識別制御部を備えている。なお、被検紙幣の通貨体系（国籍）の情報はメイン制御部から識別制御部に伝えられているので、識別制御部はその国の紙幣の特徴情報のみを比較対象のデータとして読み出せばよく、照合処理時間を短縮することができる。識別制御部としては例えばワンチップマイコン等を利用することができる。
【００１１】
図４は、左右の二つのＳＴＡＲＴ／ＳＴＯＰキーにそれぞれ異なる通貨体系を割り当てる際のフローチャートである。同図を参照しつつ説明する。
電源ＯＮしてイニシャル完了状態にして、操作者（オペレータ）が右側のＳＴＡＲＴ／ＳＴＯＰキー４２Ｒを押下して占有状態にする（ステップＳ１）。次に、ＳＨＩＦＴキーを押しながらＤＩＳＰＬＡＹ／ＳＥＴキーを押下し、ユーザ設定モードに移行し、通貨設定を選択する（ステップＳ２）。このとき表示部の液晶パネル４１には図５（Ａ）のように表示され、ユーロ（ＥＵＲ）が選択されていることを示している。ここでＳＴＡＲＴ／ＳＴＯＰキー４２Ｒを押下すれば、右側のＳＴＡＲＴ／ＳＴＯＰキー４２Ｒへのユーロ設定が確定する（ステップＳ３）。
【００１２】
次に、操作者は左側のＳＴＡＲＴ／ＳＴＯＰキー４２Ｌを押下して占有状態にする（ステップＳ４）。次に、ＳＨＩＦＴキーを押しながらＤＩＳＰＬＡＹ／ＳＥＴキーを押下し、ユーザ設定モードに移行し、通貨設定を選択する（ステップＳ５）。このとき表示部の液晶パネル４１には図５（Ａ）のように表示されるので、矢印キーを用いて図５（Ｂ）のようにチェコ（ＣＳＫ）を選択する。ここでＳＴＡＲＴ／ＳＴＯＰキー４２Ｌを押下すれば、左側のＳＴＡＲＴ／ＳＴＯＰキー４２Ｌへのチェコ設定が確定する（ステップＳ６）。このようにして、異なる紙幣の通貨体系が左右のＳＴＡＲＴ／ＳＴＯＰキーにそれぞれ割り当てられる。なお、計数モードの変更は通貨体系の割り当ての設定とは独立に行うことが可能であり、電源をＯＦＦにした場合は、直前に使用した計数モードが記憶される。
以上のようにして、左右のＳＴＡＲＴ／ＳＴＯＰキー４２Ｌ及び４２Ｒにそれぞれ、チェコ、ユーロの紙幣の設定が割り当てられた紙幣識別計数機を用いて、チェコ及びユーロの紙幣の識別計数を行う場合の手順を説明する。
【００１３】
まず、操作者がユーロ紙幣をホッパ部１に載置し、右側のＳＴＡＲＴ／ＳＴＯＰキー４２Ｒを押下する。紙幣が繰り出されて搬送され、識別計数部８で識別計数が行われ、正常であればスタッカ部２に搬送され、異常であればリジェクト部３に搬送される。ホッパ部１に紙幣がなくなると繰出し搬送が停止し、表示／操作部の液晶パネル４１に計数結果が表示される。ここで右側のＡＣＣＥＰＴキー４３Ｒを押下すると入金確定となり、前記記憶手段の中のＳＴＡＲＴ／ＳＴＯＰキー４２Ｒに割り当てられた記憶領域に前記ユーロ紙幣の計数結果が記憶される。
【００１４】
次に、紙幣識別計数機の電源をＯＮしたまま、操作者がチェコ紙幣をホッパ部１に載置し、左側のＳＴＡＲＴ／ＳＴＯＰキー４２Ｌを押下する。紙幣が繰り出されて搬送され、識別計数部８で識別計数が行われ、正常であればスタッカ部２に搬送され、異常であればリジェクト部３に搬送される。ホッパ部１に紙幣がなくなると繰出し搬送が停止し、表示／操作部の液晶パネル４１に計数結果が表示される。ここで左側のＡＣＣＥＰＴキー４３Ｌを押下すると入金確定となり、前記記憶手段の中のＳＴＡＲＴ／ＳＴＯＰキー４２Ｌに割り当てられた記憶領域に前記チェコ紙幣の計数結果が記憶される。
【００１５】
以上、実施例を基にして本発明を説明したが、本発明の技術的特徴は請求の範囲に記載したとおりであり、本実施例に限定されるものではなく、種々の変更が可能である。
【産業上の利用可能性】
【００１６】
本発明に係る紙幣識別計数装置によれば、電源の再投入操作を行うことなく、複数の通貨体系の紙幣の設定を一度に行うことができるため、複数の通貨体系の紙幣を処理する場合には、作業効率が良くなる。
また、処理する紙幣の通貨体系を予めＳＴＡＲＴ／ＳＴＯＰキーに設定してあるため、識別のための比較データ（紙幣特徴情報）は設定された通貨体系のものだけを使用すればよくなり、照合処理時間が短縮できる。
【図面の簡単な説明】
【００１７】
【図１】本発明に係る紙幣識別計数機の内部構造の一例を示す図である。
【図２】本願発明に係る紙幣識別計数機の外観を示す斜視図である。
【図３】本発明に係る紙幣識別計数機の制御ブロック図である。
【図４】二つのＳＴＡＲＴ／ＳＴＯＰキーにそれぞれ異なる通貨体系を割り当てる際のフローチャートである。
【図５】紙幣の通貨体系選択画面の一例を示す図である。
【図１】
0004931805.tif 000002
【図２】
0004931805.tif 000003
【図３】
0004931805.tif 000004
【図４】
0004931805.tif 000005
【図５】
0004931805.tif 000006